(57)【要約】      （修正有）【課題】  誰でも簡単に窓枠に装着できるとともに、窓を開けたときだけでなく取り外そうとしたときにも警報を発することができる防犯装置、及びかかる防犯装置を具備する防犯システムを提供する。【解決手段】  窓に取り付ける防犯装置は、第一のパイプ１と、第一のパイプ１を入れ子式に受容し得る第二のパイプ２と、第一のパイプ１の端部を覆う第三のパイプ３から構成され、第一のパイプ１内に固定された一対の導電性ストッパ11，12と、導電性可動部材16と、第一の軸受部材15と、第二の軸受部材32、軸受部材と可動部材との間に設けられた第一のバネ61および第二のバネ62と、第三のパイプ３の内端部に設けられたラッチ部材35と、ラッチ部材35と係合自在なように第一のパイプ１に形成された係止部18と、第三のパイプ３の端部に収容された発信器52及び電源手段51とを有し、発信器52は可動部材16がストッパ11，12のいずれと接触しても侵入報知信号を発信する。【選択図】  図１
2006024123.tif 000002
【特許請求の範囲】
【請求項１】
各種の窓枠に対応し得るように長さが調節自在な入れ子式パイプ状の防犯装置において、パイプ内に固定された一対の導電性ストッパの間で移動自在な導電性可動部材と、前記可動部材を端部方向に押圧するバネと、前記可動部材と前記ストッパとの接触により侵入報知信号を発する発信器と、前記発信器を駆動する電源手段と、前記可動部材、前記発信器、前記電源手段及び前記ストッパを接続する配線とを有することを特徴とする防犯装置。
【請求項２】
請求項１に記載の防犯装置において、前記発信器及び前記電源手段は前記別のパイプの端部に取り付けられたケース部内に収容されていることを特徴とする防犯装置。
【請求項３】
請求項１又は２に記載の防犯装置において、前記パイプを入れ子式に覆う別のパイプの先端部に設けられたラッチ部材と、前記パイプの表面に設けられた前記ラッチ部材との溝状係合部とを有することを特徴とする防犯装置。
【請求項４】
請求項１〜３のいずれかに記載の防犯装置において、前記防犯装置を窓枠にセットした時に前記可動部材は前記ストッパの間に位置し、窓の開放により前記パイプが押圧されると前記パイプは前記別のパイプ内に侵入し、前記可動部材は前記バネの押圧力に抗して一方のストッパと接触し、また前記防犯装置を窓枠から外すと前記バネの押圧力により前記パイプは前記別のパイプから出て、前記可動部材は他方のストッパと接触し、もっていずれの場合も前記発信器が駆動されることを特徴とする防犯装置。
【請求項５】
窓に取り付ける防犯装置において、第一のパイプと、第一のパイプを入れ子式に受容し得る第二のパイプと、前記第一のパイプの端部を入れ子式に覆う第三のパイプと、前記第一のパイプ内に固定された一対の導電性ストッパと、前記ストッパ間を軸線方向に移動自在な導電性可動部材と、前記第一のパイプ内に固定されて前記シャフトを摺動自在に支持する第一の軸受部材と、前記第三のパイプの内端から突出して前記シャフトを摺動自在に支持する第二の軸受部材と、前記第一の軸受部材と前記可動部材との間に設けられた強い第一のバネと、前記第二の軸受部材と前記可動部材との間に設けられた弱い第二のバネと、前記第三のパイプの端部に収容された発信器及び電源手段とを有し、前記発信器は前記可動部材が前記ストッパのいずれと接触しても侵入報知信号を発信することを特徴とする防犯装置。
【請求項６】
請求項１〜５のいずれかに記載の複数の防犯装置と室内ユニットとからなる防犯システムであって、各窓枠に装着した各防犯装置は前記室内ユニットに侵入報知信号を送信し、前記室内ユニットは前記侵入報知信号を警備会社のコントロールセンタ及び／又は家主の携帯電話機に通知することを特徴とする防犯システム。
【請求項７】
請求項６に記載の防犯システムにおいて、各防犯装置はＩＤ番号を有し、前記室内ユニットに侵入報知信号とともにＩＤ番号を送信し、前記室内ユニットは受信した侵入報知信号及びＩＤ番号からどの窓が侵入されたかを特定し、その情報を警備会社のコントロールセンタ及び／又は家主の携帯電話機に通知することを特徴とする防犯システム。
【発明の詳細な説明】
【技術分野】
【０００１】
本発明は窓枠に突っ張り棒の状態で簡単に着脱することができる防犯装置、及び複数のかかる防犯装置を具備する防犯システムに関する。
【背景技術】
【０００２】
犯罪の多発化に伴い、各家庭やマンション、ビル等でも防犯の必要性が高まっており、各種の防犯装置が販売されている。中でも窓枠に取り付ける防犯装置は、大半が窓枠にネジや両面テープ、接着剤等で固定するタイプである。
【０００３】
この種の防犯装置として、特開平09-185774号（特許文献１）は、(a) ドア，窓等の出入口の開閉を検知する開閉センサと、前記開閉センサによる出入口の開閉の検知信号に基づいて予め定められたパターンのデジタル信号を生成し、出力するコーディング回路と、前記デジタル信号を無線デジタル信号波として発信する発振回路とを備えた送信装置、及び(b) 前記送信装置からの無線デジタル信号波を受信する受信回路と、受信したデジタル信号をデコーディングするデコーディング回路と、前記デコーディング回路からの信号に基づいて警報手段を作動させる制御回路とを備えた受信装置とを有することを特徴とする防犯装置を開示している。送信装置は出入口のドア枠側に固定された送信装置本体と、ドア側に固定されたスイッチ作用部とからなる。送信装置本体は樹脂製ケースに収容されており、ケースは、リードスイッチを搭載した回路基板と、送信装置の電源としての乾電池とを収納している。またスイッチ作用部は、樹脂製ケースの内部にマグネットを収納した形態である。
【０００４】
しかしながら、このような防犯装置は窓枠やドア枠に精確に固定しなければならないので、家庭の主婦等、工事経験のない人では対応できず、いきおい業者に施行を頼まなければならない。従って、全ての窓枠に防犯装置を取り付けると、多大な施行費用がかかることになる。
【０００５】
【特許文献１】特開平09-185774号公報
【発明の開示】
【発明が解決しようとする課題】
【０００６】
従って本発明の目的は、誰でも簡単に窓枠に装着できるとともに、窓を開けたときだけでなく取り外そうとしたときにも警報を発することができる防犯装置、及びかかる防犯装置を具備する防犯システムを提供することである。
【課題を解決するための手段】
【０００７】
上記目的に鑑み鋭意研究の結果、本発明者は防犯装置を突っ張り棒状のパイプ内に設置すれば、窓枠への装着が簡単であることを発見し、本発明に想到した。
【０００８】
すなわち、本発明の防犯装置は、各種の窓枠に対応し得るように長さが調節自在な入れ子式のパイプ状であって、パイプ内に固定された一対の導電性ストッパの間で移動自在な導電性可動部材と、前記可動部材を端部方向に押圧するバネと、前記可動部材と前記ストッパとの接触により侵入報知信号を発する発信器と、前記発信器を駆動する電源手段と、前記可動部材、前記発信器、前記電源手段及び前記ストッパを接続する配線とを有することを特徴とする。
【０００９】
本発明の好ましい態様は以下の通りである。
(1)   上記防犯装置において、前記発信器及び前記電源手段が前記別のパイプの端部に取り付けられたケース部内に収容されている。
(2) 上記防犯装置は、前記パイプを入れ子式に覆う別のパイプの先端部に設けられたラッチ部材と、前記パイプの表面に設けられた前記ラッチ部材との溝状係合部とを有する。
(3) 前記防犯装置を窓枠にセットした時に、前記可動部材は前記ストッパの間に位置し、窓の開放により前記パイプが押圧されると前記パイプは前記別のパイプ内に侵入し、前記可動部材は前記バネの押圧力に抗して一方のストッパと接触し、また前記防犯装置を窓枠から外すと前記バネの押圧力により前記パイプは前記別のパイプから出て、前記可動部材は他方のストッパと接触し、もっていずれの場合も前記発信器が駆動される。
【００１０】
本発明の好ましい一実施例による防犯装置は窓に取り付けるもので、第一のパイプと、第一のパイプを入れ子式に受容し得る第二のパイプと、前記第一のパイプの端部を入れ子式に覆う第三のパイプと、前記第一のパイプ内に固定された一対の導電性ストッパと、前記ストッパ間を軸線方向に移動自在な導電性可動部材と、前記第一のパイプ内に固定されて前記シャフトを摺動自在に支持する第一の軸受部材と、前記第三のパイプの内端から突出して前記シャフトを摺動自在に支持する第二の軸受部材と、前記第一の軸受部材と前記可動部材との間に設けられた強い第一のバネと、前記第二の軸受部材と前記可動部材との間に設けられた弱い第二のバネと、前記第三のパイプの端部に収容された発信器及び電源手段とを有し、前記発信器は前記可動部材が前記ストッパのいずれと接触しても侵入報知信号を発信することを特徴とする。
【００１１】
さらに詳細には、本発明の防犯装置は、細い第一のパイプと、長さを調節するように第一のパイプを入れ子式に受容し得る太い第二のパイプと、前記第一のパイプの端部を入れ子式に覆う第三のパイプと、前記第一のパイプ内に固定された一対の導電性ストッパと、前記第一のパイプと同軸的に延びるシャフトに固定されているとともに前記ストッパ間を軸線方向に移動自在な導電性可動部材と、前記第一のパイプ内に固定されて前記シャフトを摺動自在に支持する第一の軸受部材と、前記第三のパイプの内端から突出して前記シャフトを摺動自在に支持する第二の軸受部材と、前記第一の軸受部材と前記可動部材との間に設けられた強い第一のバネと、前記第二の軸受部材と前記可動部材との間に設けられた弱い第二のバネと、前記第三のパイプの内端部に設けられたラッチ部材と、前記ラッチ部材が移動自在であるとともに端部に係合自在であるように前記第一のパイプの表面に設けられた溝部と、前記第三のパイプの端部に設けられたケース部と、前記ケース部内に収容された発信器及び電源手段と、前記可動部材、前記発信器、前記電源手段及び前記ストッパを接続する配線とを有し、前記発信器は前記可動部材が前記ストッパのいずれと接触しても侵入報知信号を発信することを特徴とする。
【００１２】
本発明の防犯システムは複数の上記防犯装置と室内ユニットとからなり、各窓枠に装着した各防犯装置は前記室内ユニットに侵入報知信号を送信し、前記室内ユニットは前記侵入報知信号を警備会社のコントロールセンタ及び／又は家主の携帯電話機に通知することを特徴とする。
【００１３】
上記防犯システムにおいて、各防犯装置はＩＤ番号を有し、前記室内ユニットに侵入報知信号とともにＩＤ番号を送信し、前記室内ユニットは受信した侵入報知信号及びＩＤ番号からどの窓が侵入されたかを特定し、その情報を警備会社のコントロールセンタ及び／又は家主の携帯電話機に通知するのが好ましい。
【発明の効果】
【００１４】
上記構成を有する本発明の防犯装置は、窓の開閉や装置の取り外しにより全体が短縮したり延びたりした場合に、侵入報知信号を発進するので、泥棒の侵入を確実に防止することができる。また突っ張り棒状の構造を有するので、所定の範囲内であればいかなる幅の窓枠にも簡単に装着することができる。
【発明を実施するための最良の形態】
【００１５】
図１は本発明の防犯装置の一例を示す。この防犯装置は、細い第一のパイプ１と、細いパイプ１を入れ子式に受容する太い第二のパイプ２と、細いパイプ１の端部を入れ子式に覆う第三のパイプ３とを有する。パイプ２のパイプ１側の端部は薄肉化されたテーパ部であり、複数の軸線方向スリット（図示せず）を有する。またテーパ部の表面にネジが切ってあり、またテーパ部の上にローレット状の外面を有する雌ねじリング21が取り付けられている。従って、雌ねじリング21を回転することによりパイプ２をパイプ１に固定することができる。パイプ２の端部は長方形状のフランジ22となっている。
【００１６】
パイプ１の内壁には、一対のストッパ11，12が円筒状金属板13を介してボルト11a，12aにより固定されており、ストッパ11の奥側に第一の軸受部材15がボルト15aにより固定されている。一対のストッパ11，12の間には円板状の導電性可動部材16が配置されており、可動部材16の中央部に軸線方向に延在するシャフト17が固定されている。可動部材16は導電性を有するためにアルミニウム等の金属製であるのが好ましい。またシャフト17は強度の観点からステンレススチール等の鉄製品であるのが好ましい。なお、可動部材16とシャフト17との固定を強固にするために、可動部材16の奥側に環状突起16aが一体的に設けられている。
【００１７】
図１及び図２に示すように、第三のパイプ３の端部はケース部31を有し、ケース部31の内壁31aから可動部材16のシャフト17を摺動自在に支持する管状突出部32が一体的に突出している。管状突出部32は先端部に拡径部32aを有する。またケース部31の内壁31aには、ケーブル41，42が貫通する開口部33a，33bが形成されている。ケース部31内には、電源手段としての乾電池51と、発信器52とが収容されている。
【００１８】
パイプ３の先端部には少なくとも１つのラッチ部材35が設けられている。ラッチ部材35は、軸線方向の一対のスリットにより形成されたカンチレバー部35aと、カンチレバー部35aの先端部に設けられた内方突起部35bとからなる。また図３に示すように、パイプ１の外表面には、ラッチ部材35の突起部35bを摺動自在に受承する溝18が形成されている。溝18は、一対の軸線方向側壁18a，18aと、内壁（奥側の壁）18bと、外壁（端部側の壁）18cと、平坦な底部18dとからなる。底部18dに、円周方向に延びる１つの断面三角の凸状部19が設けられている。
【００１９】
図１に示すように、軸受部材15と可動部材16の環状突起16aとの間に強いバネ（第一のバネ）61が取り付けられており、また軸受部材15と管状突出部32の拡径部32aとの間に弱いバネ（第二のバネ）62が収容されている。
【００２０】
一対のストッパ11，12と電気的に接続した円筒状金属板13にケーブル41が接続しており、金属製の可動部材16にケーブル42が接続している。ケーブル41は乾電池51のマイナス側と接続する端子34aに接続しており、ケーブル42は発信器52の一方の端子34bに接続しており、また乾電池51のプラス側は発信器52の他方の端子34cに接続している。
【００２１】
第一のバネ61は第二のバネ62より十分に強いので、パイプ３に押圧力がかかっていないとき（突っ張り棒式防犯装置を窓枠に設置していないとき）、図４の(d) に示すように、可動部材16はストッパ12に接触する。なお第二のバネ62の作用により、ラッチ部材35が溝18の外壁18cに当接するまで、パイプ３は外側に出る。
【００２２】
図４〜６を参照して、パイプ３の変位による可動部材16の動きについて詳細に説明する。突っ張り棒の長さを設定していない状態では、図５に示すように、パイプ３は最も外に出た状態にあるので、パイプ１の外表面に設けたマーク70が現れている。マーク70の位置は、パイプ３の端部がマーク70と一致したときに、ラッチ部材35が三角凸状部19をちょうど乗り越えるように設定してある。
【００２３】
図６に示すように、まず窓枠100の一方の窓101側に本発明の防犯装置を設置する。この状態でパイプ３の端部がマーク70と一致するまでパイプ１をパイプ２から少し繰り出し、パイプ３の端部がマーク70と一致した状態で雌ねじリング21を回転させ、パイプ１とパイプ２とを固定する。このとき、図４の(b) に示すように、ラッチ部材35は三角凸状部19をちょうど乗り越えた位置にあり、かつ可動部材16はパイプ３の管状突出部32の先端に接触したまま一対のストッパ11，12のほぼ中間に位置する。ラッチ部材35が三角凸状部19を乗り越えるとクリック感があるので、マーク70とともに突っ張り棒全体の長さの精確な設定に役立つ。
【００２４】
泥棒が窓101，102のいずれかを開放しようとすると、パイプ３はパイプ１側に押され、図４の(a) に示すように、可動部材16がストッパ11に接するまで、パイプ１はパイプ３内に入る。このとき、ラッチ部材35は溝18の内壁に到達していない。可動部材16がストッパ11に接すると、可動部材16→ストッパ11→円筒状金属板13→ケーブル41→端子34a→乾電池51→端子34c→発信器52→端子34b→ケーブル42→可動部材16と通電する。可動部材16がストッパ11に接した後、本発明の防犯装置は突っ張り棒として機能し、窓の開放をしっかり防止する。
【００２５】
泥棒は防犯装置を窓枠100から取り外そうとするかも知れない。その場合、図４(c) に示すように、可動部材16はストッパ12に接し、次いで図４(d) に示すように第二のバネ62によりパイプ３はパイプ１より離隔方向に移動する。このような可動部材16の移動の際、ラッチ部材35と溝18との関係は図３に示す通りである。
【００２６】
図７は、本発明の防犯装置を中心軸線に沿って分解した状態を示す。従って、本発明の防犯装置の組立ては、図７に示す順序で行えば良い。すなわち、第一の軸受部材15をボルト15aによりパイプ１の内壁に固定した後、スリット13aが入った円筒状金属板13をパイプ１内に挿入する。円筒状金属板13は、自由のときはパイプ１の内壁より大きな直径を有するので、僅かに狭めた状態でパイプ１内に挿入する。従って、円筒状金属板13はパイプ１の内壁に密着する。パイプ１の内壁に密着した円筒状金属板13内にストッパ11を入れ、ボルト11aで固定する。
【００２７】
第一のバネ61を介して可動部材16のシャフト17を第一の軸受部材15の中央開口部に挿入し、次いでストッパ12を入れてボルト12aで固定する。さらに第二のバネ62をシャフト17に嵌めて、パイプ３の管状突出部32を可動部材16に当接させる。すると、第二のバネ62は管状突出部32の拡径部32aに部分的に収容される。パイプ３をさらに押すと、パイプ３のラッチ部材35はパイプ１の溝18に係合する。ラッチ部材35が一旦溝18に係合すると、パイプ３はパイプ１から脱離しなくなる。パイプ３の移動範囲は、一対のストッパ11，12の間隔から可動部材16の厚さを引いた長さＤであるので、溝18の長さも（長さＤ＋ラッチ部材35の突起部35bの軸線方向長さ＋誤差を吸収するためのマージン）に設定するのが好ましい。
【００２８】
図１に示すように、パイプ３のケース部31は乾電池51及び発信器52の他に、必要に応じて警報ベルを収容しても良い。また図５に示すように、ケース部31には防犯装置がON状態であることを示すランプ54が取り付けられている。これにより、防犯装置の作動を確実にすることができる。
【００２９】
図６に示すように、本発明の防犯システムは、複数の防犯装置（図には１つしか示されていない）と、１つの室内ユニット110とからなる。なお図６では便宜上下方に室内ユニット110を設置しているが、室内ユニット110の位置は限定的でなく、できるだけ窓から離隔した位置であれば良い。室内ユニット110は、受信装置及び警報ベルとともに、侵入報知信号を警備会社のコントロールセンタ及び／又は家主の携帯電話機に通知する手段を具備する。
【００３０】
複数の窓枠に全て防犯装置を装着するのが普通であるので、どの防犯装置から受信したかが分かる方が便利である。そのため、各防犯装置のコントローラにＩＤ番号を付与し、室内ユニット110に侵入報知信号とともにＩＤ番号を送信するようにすると、室内ユニット110は受信した侵入報知信号及びＩＤ番号からどの窓から泥棒が侵入したかを特定することができる。その情報を受けた警備会社及び／又は家主は泥棒が空き巣なのか大がかりな窃盗団であるかを推測することができ、警察への通報を迅速適切に行うことができる。
【図面の簡単な説明】
【００３１】
【図１】本発明の防犯装置の内部構造を示す部分断面である。
【図２】第三のパイプを第一のパイプの側から見た側面図である。
【図３】第一のパイプに形成したラッチ部材係合用の溝の詳細な形状を示す平面図である。
【図４】本発明の防犯装置における第三のパイプの押圧状態と、一対のストッパの間を移動する可動部材の位置との関係を示し、(a) は第三のパイプが最も押し込まれた状態を示し、(b) は本発明の防犯装置を窓枠に装着したときの第三のパイプの位置を示し、(c) は第一のパイプが第三のパイプから抜け出た状態を示し、(d) は本発明の防犯装置をフリー状態にしたために、第三のパイプが最も第一のパイプから出た状態を示す。
【図５】窓枠に装着する準備ができた本発明の防犯装置を示す側面図である。
【図６】本発明の防犯装置を装着した窓枠を示す側面図である。
【図７】本発明の防犯装置の分解断面図である。
【符号の説明】
【００３２】
１・・・第一のパイプ
11，12・・・ストッパ
13・・・円筒状金属板
15・・・第一の軸受部材
16・・・可動部材
17・・・シャフト
18・・・溝
19・・・断面三角状凸状部
２・・・第二のパイプ
21・・・ローレット
22・・・フランジ
３・・・第三のパイプ
31・・・ケース部
32・・・管状突出部
33a，33b・・・ケーブル用開口部
41，42・・・ケーブル
51・・・乾電池
52・・・発信器
61・・・第一のバネ
62・・・第二のバネ
100・・・窓枠
110・・・室内ユニット
【図１】
2006024123.tif 000003
【図２】
2006024123.tif 000004
【図３】
2006024123.tif 000005
【図４】
2006024123.tif 000006
【図５】
2006024123.tif 000007
【図６】
2006024123.tif 000008
【図７】
2006024123.tif 000009